(57)【要約】【課題】小サイズの画像形成用紙の通紙後の加熱ローラの局部的な温度上昇による高温オフセットや記録用紙のカールを防止し、かつ電力の節電を図り得ることができる定着装置およびこれを用いた画像形成装置を提供する。【解決手段】加熱ローラ内部にメインヒータ391aとサブヒータ391bとを設け、加熱ローラの軸線方向中央部においてメインヒータの配熱特性に対応する通紙範囲Fよりも小さい通紙範囲Dの小サイズの画像形成用紙P′通紙後に大サイズ記録用紙の印刷指令があれば、サブヒータの通電を遮断するように制御し、加熱ローラの軸線方向中央部がほぼ均一な温度になったときにサブヒータを通電させて定着設定温度に到達させるように制御する。一方、連続して小サイズの画像形成用紙の印刷指令があれば、サブヒータの通電を遮断するように制御する。【選択図】        図４
2005156977.tif 000002
【特許請求の範囲】
【請求項１】
記録用紙上の未定着現像剤を加熱ローラと加圧ローラとの間のニップ部に対しその各ローラの軸線方向中央位置を基準に通紙させて定着するようにした定着装置において、
上記加熱ローラの内部に設けられ、その軸線方向中央部に対応した配熱特性を有する第１ヒータランプと、
この第１ヒータランプの左右両側方において加熱ローラの軸線方向左右両側部に対応した配熱特性を有する第２ヒータランプと、
上記第１および第２ヒータランプがそれぞれ所定の設定温度で待機しているときに印刷指示を受けると、その印刷指示された記録用紙の通紙範囲に応じて第１および第２ヒータランプを制御する制御手段と
を備え、
上記制御手段は、上記加熱ローラの軸線方向中央部において上記第１ヒータランプの配熱特性に対応する通紙範囲よりも小さい通紙範囲の小サイズ記録用紙が通紙されたとき、その小サイズ記録用紙の通紙後に上記第２ヒータランプの制御を変更するようにしていることを特徴とする定着装置。
【請求項２】
上記請求項１に記載の定着装置において、
制御手段は、第１および第２ヒータランプがそれぞれ非通電状態で待機しているときに小サイズ記録用紙の印刷指示を受けると、上記第１ヒータランプを定着可能な定着設定温度に到達するように制御するとともに、上記第２ヒータランプを所定の設定温度で待機させるように制御していることを特徴とする定着装置。
【請求項３】
上記請求項１または請求項２に記載の定着装置において、
制御手段は、小サイズ記録用紙の通紙後に第２ヒータランプの通電を遮断することによって該第２ヒータランプの制御を変更していることを特徴とする定着装置。
【請求項４】
上記請求項１ないし請求項３のいずれか１つに記載の定着装置において、
制御手段は、第１および第２ヒータランプがそれぞれ所定の設定温度で待機しているときに加熱ローラの軸線方向中央部において第１ヒータランプの配熱特性に対応する通紙範囲よりも大きい通紙範囲の大サイズ記録用紙の印刷指示を受けると、上記第１および第２ヒータランプを定着設定温度に到達するように制御していることを特徴とする定着装置。
【請求項５】
上記請求項１、請求項２または請求項４に記載の定着装置において、
所定の設定温度は、定着設定温度よりも低い余熱待機温度であることを特徴とする定着装置。
【請求項６】
上記請求項１ないし請求項５のいずれか１つに記載の定着装置において、
制御手段は、印刷指示された記録用紙の通紙範囲に応じたヒータランプが定着設定温度に達したときに印刷を開始するように制御していることを特徴とする定着装置。
【請求項７】
上記請求項１ないし請求項６のいずれか１つに記載の定着装置において、
制御手段は、小サイズ記録用紙の通紙後に第２ヒータランプの通電を遮断して第１ヒータランプの配熱特性がほぼ均等となったときに第２ヒータランプを定着設定温度に到達するように制御していることを特徴とする定着装置。
【請求項８】
上記請求項１ないし請求項７のいずれか１つに記載の定着装置を用いたことを特徴とする画像形成装置。
【発明の詳細な説明】
【技術分野】
【０００１】
本発明は、省エネモードでの待機中にＢ５サイズや葉書サイズの記録用紙上の未定着現像剤を定着する場合にヒータランプを制御するようにした定着装置およびこれを用いた画像形成装置に関する。
【背景技術】
【０００２】
一般に、複写機、プリンタおよびファクシミリなどの電子写真方式の画像形成装置に用いられる定着装置にあっては、記録用紙上の未定着現像剤を加熱ローラと加圧ローラとの間のニップ部に対しその各ローラの軸線方向中央位置を基準に通紙させて定着させるようにしている。そして、上記加熱ローラの内部には、コイル状のフィラメントを具えた２種類のヒータランプが設けられており、これらのヒータランプのフィラメントは、いずれも発光部と非発光部とを有し、第１ヒータランプにおけるフィラメントの発光部が第２ヒータランプにおけるフィラメントの非発光部に対向するように配されている。つまり、加熱ローラの軸線方向中央部に対応した配熱特性を有する第１ヒータランプと、この第１ヒータランプの配熱特性とは対応しない加熱ローラの軸線方向左右両側部に対応した配熱特性を有する第２ヒータランプとを備えている（例えば、特許文献１参照）。
【０００３】
また、その他の定着装置としては、サイズの異なる記録用紙上の未定着現像剤を、常に安定した定着温度でホットオフセットを生じさせることなく迅速に熱定着させるために、第１ヒータランプおよび第２ヒータランプを制御手段により制御するようにしたものもあり、この制御手段は、小サイズ記録用紙が接触する加熱ローラの軸線方向中央部に対向する第１ヒータランプの第１発熱領域の発熱密度（Ａ１）および第２ヒータランプの第１発熱領域の発熱密度（Ｂ１）と、加熱ローラの軸線方向中央部の左右側方で大サイズ記録用紙が接触する加熱ローラの軸線方向左右両側部に対向する第１ヒータランプの第２発熱領域の発熱密度（Ａ２）および第２ヒータランプの第２発熱領域の発熱密度（Ｂ２）とを、Ａ１＞Ａ２かつＢ１＜Ｂ２で、さらに、Ａ１＋Ｂ１＜Ａ２＋Ｂ２を満たすように設定し、大サイズの記録用紙の定着時においては、第１ヒータランプを常時オンさせるように制御する一方、第２ヒータランプをオン・オフさせるように制御している。この場合、小サイズの記録用紙上の未定着現像剤を定着させる際には、第１のヒータランプをオン状態とし、第２ヒータランプを定着上限温度（１８０°Ｃ）と定着下限温度（１７０°Ｃ）の間でオン・オフ制御（Ｄｕｔｙ５０％）することが行われている（例えば、特許文献２参照）。
【特許文献１】特開２００２−２５８６４６号公報
【特許文献２】特開２００３−１０７９５６号公報
【発明の開示】
【発明が解決しようとする課題】
【０００４】
ところで、上記従来のものでは、縦送り（記録用紙の長手方向が用紙搬送方向と平行となる向き）で搬送されるＡ４サイズの記録用紙上の未定着現像剤を定着する場合、加熱ローラの軸線方向中央部に対応する第１ヒータランプによる配熱特性（第１発熱領域）で対処するようにしているが、加熱ローラの軸線方向中央部において第１ヒータランプの配熱特性に対応する通紙範囲（例えば、Ａ４サイズの記録用紙の縦送りでの通紙範囲）よりも小さい通紙範囲となる縦送りでのＢ５サイズや葉書サイズなどの小サイズ記録用紙上の未定着現像剤を定着する際にも、第１ヒータランプによる配熱特性で対処するようにしている。しかし、図６の（ａ）に示すように、第１ヒータランプｂの配熱特性に対応する通紙範囲よりも小さい小サイズ記録用紙ｐの通紙によって奪われる熱量の奪取範囲は、第１ヒータランプｂの配熱特性に対応する加熱ローラの通紙範囲の中央部付近ｄに限られるため、第１ヒータランプｂの配熱特性に対応してはいるものの小サイズ記録用紙ｐが通紙されない加熱ローラの軸線方向中央部左右両側ｅ，ｅ（小サイズ記録用紙ｐの非通紙範囲）付近での表面温度は、小サイズ記録用紙ｐの通紙によって奪取されることなく定着設定温度ＴＳ付近のまま蓄積されることになる。
【０００５】
その場合、小サイズ記録用紙ｐの通紙後にＡ３サイズなどの大サイズ記録用紙が印刷指示されると、第１ヒータランプｂの配熱特性によって加熱ローラの軸線方向中央部の表面温度を定着設定温度ＴＳまで再度上昇させるのはもちろんのこと、その左右両側方の第２ヒータランプｃの配熱特性によって加熱ローラの軸線方向左右両側部の表面温度を定着設定温度ＴＳまで上昇させることが行われるが、加熱ローラの軸線方向中央部左右両側には小サイズ記録用紙ｐの非通紙によって表面温度が定着設定温度ＴＳ付近に蓄積されたままの高温領域が存在するため、図６の（ｂ）に示すように、第１および第２ヒータランプｂ，ｃの配熱特性によって加熱ローラが加熱されると、その軸線方向中央部左右両側ｅ，ｅの高温領域（小サイズ記録用紙ｐの非通紙領域）がさらに加熱され、大サイズ記録用紙上の未定着現像剤を定着する際に加熱ローラの局部的な温度上昇によって、現像剤の過溶融による加熱ローラへの付着といった高温オフセットや記録用紙のカールが発生することになる。
【０００６】
しかも、小サイズ記録用紙ｐ通紙後の加熱ローラの軸線方向中央部左右両側ｅ，ｅの高温領域をさらに加熱することによって電力に無駄が生じ、省エネルギー化にも反することになる。
【０００７】
本発明は、かかる点に鑑みてなされたものであり、その目的とするところは、小サイズ記録用紙の通紙後の加熱ローラの局部的な温度上昇による高温オフセットや記録用紙のカールを防止し、かつ電力の節電を図り得ることができる定着装置およびこれを用いた画像形成装置を提供することにある。
【課題を解決するための手段】
【０００８】
上記目的を達成するため、本発明では、記録用紙上の未定着現像剤を加熱ローラと加圧ローラとの間のニップ部に対しその各ローラの軸線方向中央位置を基準に通紙させて定着するようにした定着装置を前提とし、上記加熱ローラの内部に設けられ、その軸線方向中央部に対応した配熱特性を有する第１ヒータランプと、この第１ヒータランプの左右両側方において加熱ローラの軸線方向左右両側部に対応した配熱特性を有する第２ヒータランプと、上記第１および第２ヒータランプがそれぞれ所定の設定温度で待機しているときに印刷指示を受けると、その印刷指示された記録用紙の通紙範囲に応じて第１および第２ヒータランプを制御する制御手段とを設ける。そして、上記制御手段を、上記加熱ローラの軸線方向中央部において上記第１ヒータランプの配熱特性に対応する通紙範囲よりも小さい通紙範囲の小サイズ記録用紙が通紙されたとき、その小サイズ記録用紙の通紙後に上記第２ヒータランプの制御を変更させるように構成している。
【０００９】
この特定事項により、加熱ローラの軸線方向中央部において第１ヒータランプの配熱特性に対応する通紙範囲よりも小さい通紙範囲の小サイズ記録用紙が通紙されたとき、その小サイズ記録用紙の通紙後に第２ヒータランプの制御を変更しているので、この小サイズ記録用紙の通紙後に大サイズ記録用紙の印刷指令がある場合には、第２ヒータランプの通電を遮断するように制御することによって、小サイズ記録用紙の通紙後に加熱ローラの軸線方向中央部左右両側付近（小サイズ記録用紙の非通紙範囲）において通紙により奪取されずに定着設定温度付近のまま蓄積された表面温度（高温領域）は、小サイズ記録用紙の通紙領域の表面温度を定着設定温度ＴＳに復帰させるための第１ヒータランプによる自動的な通電によって一時的に上昇するものの、第２ヒータランプの通電遮断によって温度低下する加熱ローラの左右両側部に円滑に放熱され、第１ヒータランプの配熱特性がほぼ均等となったとき、つまり加熱ローラの軸線方向中央部左右両側付近（高温領域）の温度を低下させて加熱ローラの軸線方向中央部（第１ヒータランプの配熱特性に対応する領域）がほぼ均一な温度になったときに、第２ヒータランプを通電させて定着設定温度に到達するように制御することで、現像剤の過溶融による加熱ローラへの付着といった高温オフセットや記録用紙のカールを確実に防止することが可能となる上、小サイズ記録用紙通紙後に加熱ローラの軸線方向中央部左右両側の高温領域をさらに加熱する電力の無駄な消費も防止して省エネルギー化を図ることも可能となる。
【００１０】
一方、小サイズ記録用紙の通紙後にも小サイズ記録用紙の印刷指令がある場合には、第２ヒータランプの通電を遮断するように制御することによって、小サイズ記録用紙の通紙後に加熱ローラの軸線方向中央部左右両側付近において通紙により奪取されずに定着設定温度付近のまま蓄積されていた表面温度（高温領域）が、小サイズ記録用紙の通紙領域の表面温度を定着設定温度ＴＳに復帰させるための第１ヒータランプによる自動的な通電によって一時的に上昇するものの、第２ヒータランプの通電遮断によって温度低下する加熱ローラの左右両側部に円滑に放熱され、小サイズ記録用紙を通紙させて加熱ローラの軸線方向中央部左右両側付近での局部的な表面温度の上昇を抑制しつつ小サイズ記録用紙上の未定着現像剤を連続して定着させることが可能となる。
【００１１】
また、第１および第２ヒータランプがそれぞれ非通電状態で待機しているときに小サイズ記録用紙の印刷指示を受けると、第１ヒータランプを定着可能な定着設定温度に到達するように制御するとともに、第２ヒータランプを所定の設定温度、例えば定着設定温度よりも低い余熱待機温度で待機させるように制御している場合には、小サイズ記録用紙の通紙後に加熱ローラの軸線方向中央部左右両側付近において通紙により奪取されずに定着設定温度付近のまま蓄積されていた表面温度（高温領域）が、小サイズ記録用紙の通紙領域の表面温度を定着設定温度ＴＳに復帰させるための第１ヒータランプによる自動的な通電によって一時的に上昇するものの、定着設定温度よりも低い余熱待機温度で待機している第２ヒータランプによって温度の低い加熱ローラの左右両側部に放熱されて、加熱ローラの軸線方向中央部左右両側付近（高温領域）の温度が低下し、第２ヒータランプへの無駄な電力消費を抑えて省エネルギー化に貢献することが可能となる。しかも、小サイズ記録用紙の通紙後に大サイズ記録用紙が印刷指示されても、加熱ローラの軸線方向中央部左右両側付近（高温領域）の表面温度の低下を待つことなく迅速に大サイズ記録用紙上の未定着現像剤の定着を行うことが可能となる。
【００１２】
そして、第１および第２ヒータランプがそれぞれ所定の設定温度、例えば定着設定温度よりも低い余熱待機温度で待機しているときに、加熱ローラの軸線方向中央部において第１ヒータランプの配熱特性に対応する通紙範囲よりも大きい通紙範囲の大サイズ記録用紙の印刷指示を受けると、上記第１および第２ヒータランプを定着設定温度に到達するように制御している場合には、第１および第２ヒータランプが定着設定温度まで速やかに移行し、大サイズ記録用紙上の未定着現像剤を迅速に定着させることが可能となる。
【００１３】
また、印刷指示された記録用紙の通紙範囲に応じたヒータランプが定着設定温度に達したときに印刷を開始するように制御している場合には、記録用紙上の未定着現像剤を安定して定着させることが可能となる。
【００１４】
更に、上述した定着装置を画像形成装置に用いた場合には、小サイズ記録用紙の通紙後の加熱ローラの局部的な温度上昇による高温オフセットや記録用紙のカールを防止し、かつ電力の節電を図り得る画像形成装置を提供することが可能となる。
【発明の効果】
【００１５】
以上のように、加熱ローラの軸線方向中央部において第１ヒータランプの配熱特性に対応する通紙範囲よりも小さい通紙範囲の小サイズ記録用紙の通紙後に第２ヒータランプの制御を変更させることで、小サイズ記録用紙の通紙後に大サイズ記録用紙の印刷指令があるときに第２ヒータランプの通電を遮断するように制御すれば、小サイズ記録用紙の通紙後に加熱ローラの軸線方向中央部左右両側付近において通紙により奪取されずに定着設定温度付近のまま蓄積されていた表面温度を第２ヒータランプの通電遮断により温度低下する加熱ローラの左右両側部に円滑に放熱し、第１ヒータランプの配熱特性がほぼ均等となったときに第２ヒータランプを通電させて定着設定温度に到達するように制御すれば、高温オフセットや記録用紙のカールを確実に防止することができる上、加熱ローラの軸線方向中央部左右両側の高温領域をさらに加熱する電力の無駄な消費を防止して省エネルギー化を図ることもできる。一方、小サイズ記録用紙の通紙後にも小サイズ記録用紙の印刷指令があるときに第２ヒータランプの通電を遮断するように制御すれば、小サイズ記録用紙の通紙後に加熱ローラの軸線方向中央部左右両側付近において定着設定温度付近のまま蓄積されていた表面温度を第２ヒータランプの通電遮断により温度低下する加熱ローラの左右両側部に円滑に放熱し、小サイズ記録用紙を通紙させて加熱ローラの軸線方向中央部左右両側付近での局部的な表面温度の上昇を抑制しつつ小サイズ記録用紙上の未定着現像剤を連続して定着させることができる。
【００１６】
また、第１および第２ヒータランプがそれぞれ非通電状態で待機しているときに小サイズ記録用紙の印刷指示を受けると、第１ヒータランプを定着設定温度に到達するように制御するとともに、第２ヒータランプを定着設定温度よりも低い余熱待機温度で待機させるように制御することで、小サイズ記録用紙の通紙後に加熱ローラの軸線方向中央部左右両側付近において通紙により奪取されずに定着設定温度付近のまま蓄積されていた表面温度を余熱待機温度で待機中の第２ヒータランプによって温度の低い加熱ローラの左右両側部に放熱して、加熱ローラの軸線方向中央部左右両側付近の温度を低下させ、第２ヒータランプへの無駄な電力消費を抑えて省エネルギー化に貢献することができる。しかも、小サイズ記録用紙の通紙後に大サイズ記録用紙が印刷指示されても、加熱ローラの軸線方向中央部左右両側付近の表面温度の低下を待つことなく迅速に大サイズ記録用紙上の未定着現像剤の定着を行うことができる。
【００１７】
そして、第１および第２ヒータランプの余熱待機温度での待機中に、加熱ローラの軸線方向中央部において第１ヒータランプの配熱特性に対応する通紙範囲よりも大きい通紙範囲の大サイズ記録用紙の印刷指示を受けて、上記第１および第２ヒータランプを定着設定温度に到達するように制御することで、第１および第２ヒータランプを定着設定温度まで速やかに移行させて、大サイズ記録用紙上の未定着現像剤を迅速に定着させることができる。
【００１８】
また、印刷指示された記録用紙の通紙範囲に応じたヒータランプが定着設定温度に達したときに印刷を開始するように制御することで、記録用紙上の未定着現像剤を安定して定着させることができる。
【００１９】
更に、このような定着装置を画像形成装置に用いることで、小サイズ記録用紙の通紙後の加熱ローラの局部的な温度上昇による高温オフセットや記録用紙のカールを防止し、かつ電力の節電を図り得る画像形成装置を提供することができる。
【発明を実施するための最良の形態】
【００２０】
以下、本発明を実施するための最良の形態を図面に基づいて説明する。
【００２１】
本形態では、コピー機能、プリント機能、ファクシミリ機能を兼ね備えた画像形成装置としての複合機に本発明を適用した場合について説明する。
【００２２】
−複合機の全体構成の説明−
図１は本形態に係る複合機１（画像形成装置）の内部構成の概略を示している。この図１のように、本複合機１は、スキャナ部２、プリント部３及び原稿自動給紙部４を備えている。以下、各部について説明する。
【００２３】
−スキャナ部２の説明−
スキャナ部２は、透明なガラス等で成る原稿台４１上に載置された原稿の画像や原稿自動給紙部４により１枚ずつ給紙される原稿の画像を読み取って画像データを作成する部分である。このスキャナ部２は、露光光源２１、複数の反射鏡２２，２３，２４、結像レンズ２５、光電変換素子（ＣＣＤ：Charge Coupled Device）２６を備えている。
【００２４】
上記露光光源２１は、原稿自動給紙部４の原稿台４１上に載置された原稿や原稿自動給紙部４を搬送される原稿に対して光を照射するものである。各反射鏡２２，２３，２４は、図１に一点鎖線Ａで光路を示すように、原稿からの反射光を一旦図中左方向に反射させた後、下方に反射させ、その後、結像レンズ２５に向かうように図中右方向に反射させるようになっている。
【００２５】
原稿の画像読取動作として、上記原稿台４１上に原稿が載置された場合（「シート固定方式」として使用する場合）には、露光光源２１及び各反射鏡２２，２３，２４が原稿台４１に沿って水平方向に走査して、原稿全体の画像を読み取ることになる。一方、原稿自動給紙部４を搬送される原稿を読み取る場合（「シート移動方式」として使用する場合）には、露光光源２１及び各反射鏡２２，２３，２４が図１に示す位置に固定され、後述する原稿自動給紙部４の原稿読取部４２を原稿が通過する際にその画像を読み取ることになる。
【００２６】
上記各反射鏡２２，２３，２４で反射されて結像レンズ２５を通過した光は光電変換素子２６に導かれ、この光電変換素子２６において反射光が電気信号（原稿画像データ）に変換されるようになっている。
【００２７】
−プリント部３の説明−
プリント部３は、画像形成系３１と用紙搬送系３２とを備えている。
【００２８】
画像形成系３１は、露光手段としてのレーザスキャニングユニット３１ａ及びドラム型の静電潜像担持体としての感光体ドラム３１ｂを備えている。レーザスキャニングユニット３１ａは、上記光電変換素子２６において変換された原稿画像データに基づいたレーザ光を感光体ドラム３１ｂの表面に照射するものである。感光体ドラム３１ｂは、図１中に矢印で示す方向に回転し、レーザスキャニングユニット３１ａからのレーザ光が照射されることによってその表面に静電潜像が形成されるようになっている。
【００２９】
また、上記感光体ドラム３１ｂの外周囲には、上記レーザスキャニングユニット３１ａの他に、現像手段としての現像装置３１ｃ、転写手段としての転写ローラ３１ｄ、クリーニング装置３１ｅ、図示しない除電器、帯電手段としての帯電ローラ３１ｆが周方向に亘って順に配設されている。現像装置３１ｃは、感光体ドラム３１ｂの表面に形成された静電潜像をトナー（現像剤）により可視像に現像するものである。転写ローラ３１ｄは、感光体ドラム３１ｂの表面に形成されたトナー像を記録用紙としての画像形成用紙Ｐ（図２参照）に転写するものである。クリーニング装置３１ｅは、トナー転写後において感光体ドラム３１ｂの表面に残留したトナーを除去するようになっている。除電器は、感光体ドラム３１ｂの表面の残留電荷を除去するものである。帯電ローラ３１ｆとしては、静電潜像が形成される前の感光体ドラム３１ｂの表面に対し電源（図示せず）からの直流電圧を接触帯電により印加して帯電させる接触帯電方式のものが適用されている。
【００３０】
このため、画像形成用紙Ｐに画像を形成する際には、帯電ローラ３１ｆの接触によって感光体ドラム３１ｂの表面が所定の電位に帯電され、レーザスキャニングユニット３１ａが原稿画像データに基づいたレーザ光を感光体ドラム３１ｂの表面に照射する。その後、現像装置３１ｃが感光体ドラム３１ｂの表面にトナーによる可視像を現像し、転写ローラ３１ｄによって、トナー像が画像形成用紙Ｐに転写される。更に、その後、感光体ドラム３１ｂの表面に残留したトナーはクリーニング装置３１ｅによって除去されると共に、感光体ドラム３１ｂの表面の残留電荷が除電器によって除去される。これにより、画像形成用紙Ｐへの画像形成動作（印刷動作）の１サイクルが終了する。このサイクルが繰り返されることにより、複数枚の画像形成用紙Ｐに対して連続的に画像形成を行うことができるようになっている。
【００３１】
一方、上記用紙搬送系３２は、用紙カセット３３に収容された画像形成用紙Ｐを１枚ずつ搬送して上記画像形成系３１による画像形成を行わせると共に、画像形成された画像形成用紙Ｐを排紙トレイ３５へ排出するものである。この場合、用紙カセット３３に収容される画像形成用紙Ｐとしては、縦送り（用紙の長手方向が用紙搬送方向と平行になる向き）で通紙されるＡ３サイズの用紙が大サイズの画像形成用紙となり、この縦送りで通紙されるＡ３サイズ等の大サイズの画像形成用紙の他、縦送りで通紙されるＡ４サイズ等の普通サイズの画像形成用紙Ｐや、Ａ５サイズの画像形成用紙や葉書等の小サイズの画像形成用紙Ｐ′（図４に表れる）も収容されるようになっている。
【００３２】
また、上記用紙搬送系３２は、主搬送路３６と反転搬送路３７とを備えている。主搬送路３６は用紙カセット３３の排出側に対向していると共に他端が排紙トレイ３５に対向している。反転搬送路３７は、一端が転写ローラ３１ｄの配設位置よりも上流側（図中下側）で主搬送路３６に繋がっていると共に、他端が転写ローラ３１ｄの配設位置よりも下流側（図中上側）で主搬送路３６に繋がっている。
【００３３】
上記主搬送路３６の上流端（用紙カセット３３の排出側に対向する部分）には断面が半円状のピックアップローラ３６ａが配設されている。このピックアップローラ３６ａの回転により、用紙カセット３３に収容されている画像形成用紙Ｐを１枚ずつ間欠的に主搬送路３６に給紙できるようになっている。
【００３４】
この主搬送路３６における転写ローラ３１ｄの配設位置よりも上流側には、レジストローラ３６ｄ，３６ｄが配設されている。このレジストローラ３６ｄ，３６ｄは、感光体ドラム３１ｂ表面のトナー像と画像形成用紙Ｐとの位置合わせを行いながら画像形成用紙Ｐを搬送するものである。主搬送路３６における転写ローラ３１ｄの配設位置よりも下流側には、画像形成用紙Ｐに転写されたトナー像を加熱ローラ３９１と加圧ローラ３９２との間のニップ部を通して定着させる定着装置３９が配設されている。更に、主搬送路３６の下流端には、画像形成用紙Ｐを排紙トレイ３５に排紙するための排出ローラ３６ｅが配設されている。
【００３５】
上記主搬送路３６に対する反転搬送路３７の上流端の接続位置には分岐爪３８が配設されている。この分岐爪３８は、図１に実線で示す第１位置とこの第１位置から図中反時計回り方向に回動して反転搬送路３７を開放する第２位置との間で水平軸回りに回動自在となっている。この分岐爪３８が第１位置にあるときには画像形成用紙Ｐが排紙トレイ３５に向けて搬送され、第２位置にあるときには画像形成用紙Ｐが反転搬送路３７へ供給可能となっている。反転搬送路３７には搬送ローラ３７ａが配設されており、画像形成用紙Ｐが反転搬送路３７に供給された場合（所謂スイッチバック搬送により画像形成用紙Ｐが反転搬送路３７に供給された場合）には、この搬送ローラ３７ａによって画像形成用紙Ｐが搬送され、レジストローラ３６ｄの上流側で画像形成用紙Ｐが反転されて再び転写ローラ３１ｄに向かって主搬送路３６を搬送されるようになっている。つまり、画像形成用紙Ｐの裏面に対して画像形成が行えるようになっている。
【００３６】
−原稿自動給紙部４の説明−
次に、原稿自動給紙部４について説明する。この原稿自動給紙部４は、所謂自動両面原稿搬送装置として構成されている。この原稿自動給紙部４は、シート移動式として使用可能であって、原稿載置部としての原稿トレイ４３、中間トレイ４４、原稿排出部としての原稿排紙トレイ４５及び各トレイ４３，４４，４５間で原稿を搬送する原稿搬送系４６を備えている。
【００３７】
上記原稿搬送系４６は、原稿トレイ４３に載置された原稿を、原稿読取部４２を経て中間トレイ４４または原稿排紙トレイ４５へ搬送するための主搬送路４７と、中間トレイ４４上の原稿を主搬送路４７に供給するための副搬送路４８とを備えている。
【００３８】
上記主搬送路４７の上流端（原稿トレイ４３の排出側に対向する部分）には原稿ピックアップローラ４７ａ及び捌きローラ４７ｂが配設されている。捌きローラ４７ｂの下側には捌き板４７ｃが配設されており、原稿ピックアップローラ４７ａの回転に伴って原稿トレイ４３上の原稿のうちの１枚がこの捌きローラ４７ｂと捌き板４７ｃとの間を通過して主搬送路４７に給紙されるようになっている。主搬送路４７と副搬送路４８との合流部分（図中Ｂ部分）よりも下流側にはＰＳローラ４７ｅ，４７ｅが配設されている。このＰＳローラ４７ｅ，４７ｅは、原稿の先端とスキャナ部２の画像読取タイミングとを調整して原稿を原稿読取部４２に供給するものである。つまり、このＰＳローラ４７ｅ，４７ｅは原稿が供給された状態でその原稿の搬送を一旦停止し、上記タイミングを調整して原稿を原稿読取部４２に供給するようになっている。
【００３９】
上記原稿読取部４２は、プラテンガラス４２ａと原稿押え板４２ｂとを備え、ＰＳローラ４７ｅ，４７ｅから供給された原稿がプラテンガラス４２ａと原稿押え板４２ｂとの間を通過する際に、上記露光光源２１からの光がプラテンガラス４２ａを通過して原稿に照射されるようになっている。この際、上記スキャナ部２による原稿画像データの取得が行われる。上記原稿押え板４２ｂの背面（上面）には図示しないコイルスプリングによる付勢力が付与されている。これにより、原稿押え板４２ｂがプラテンガラス４２ａに対して所定の押圧力をもって接触しており、原稿が原稿読取部４２を通過する際にプラテンガラス４２ａから浮き上がることを阻止している。
【００４０】
上記プラテンガラス４２ａの下流側には、搬送ローラ４７ｆ及び原稿排紙ローラ４７ｇが備えられている。プラテンガラス４２ａ上を通過した原稿が搬送ローラ４７ｆ及び原稿排紙ローラ４７ｇを経て中間トレイ４４または原稿排紙トレイ４５へ排紙される構成となっている。
【００４１】
原稿排紙ローラ４７ｇと中間トレイ４４との間には中間トレイ揺動板４４ａが配設されている。この中間トレイ揺動板４４ａは、中間トレイ４４側の端部が揺動中心とされて、図中実線で示すポジション１とこのポジション１から上方へ跳ね上げられたポジション２との間で揺動可能となっている。中間トレイ揺動板４４ａがポジション２にある場合には原稿排紙ローラ４７ｇから排紙された原稿は原稿排紙トレイ４５へ回収される。一方、中間トレイ揺動板４４ａがポジション１にある場合には原稿排紙ローラ４７ｇから排紙された原稿は中間トレイ４４へ排出されるようになっている。この中間トレイ４４への排紙時には、原稿の端縁が原稿排紙ローラ４７ｇ，４７ｇ間に挟持された状態となっており、この状態から原稿排紙ローラ４７ｇが逆回転することによって原稿が副搬送路４８に供給され、この副搬送路４８を経て再び主搬送路４７に送り出されるようになっている。この原稿排紙ローラ４７ｇの逆回転動作は、主搬送路４７への原稿の送り出しと画像読取タイミングとを調整して行われる。これにより、原稿の裏面の画像が原稿読取部４２によって読み取られるようになっている。
【００４２】
−複合機の基本動作説明−
以上の如く構成された複合機１の動作として、先ず、本複合機１が、プリンタとして機能する場合には、パーソナルコンピュータ等のホスト装置から送信された印刷データ（イメージデータやテキストデータ）を受信し、この受信した印刷データ（プリントデータ）を図示しないバッファ（メモリ）に一旦格納していく。このバッファへのプリントデータの格納と共に、バッファからのプリントデータの読み出しを順次行って、この読み出したプリントデータに基づき、上述したプリント部３の画像形成動作により画像形成用紙Ｐに画像形成が行われる。
【００４３】
また、本複合機１がスキャナとして機能する場合には、上記スキャナ部２によって読み取った原稿のスキャン画像データをバッファに一旦格納していく。このバッファへのスキャン画像データの格納と共に、バッファからホスト装置へのスキャン画像データの送信を順次行って、このホスト装置のディスプレイ等に画像表示する。
【００４４】
更に、本複合機１がコピー機として機能する場合には、上記スキャナ機能によって読み取った原稿画像データに基づきプリント部３の画像形成動作によって画像形成用紙Ｐに画像形成が行われることになる。
【００４５】
そして、本発明の特徴部分として、図２に示すように、定着装置３９は、加熱ローラ３９１および加圧ローラ３９２を収容する定着ユニット３９０を備えている。この定着ユニット３９０は、加熱ローラ３９１を収容する定着上フレーム３９０ａと、加圧ローラ３９２を収容する定着下フレーム３９０ｂとを備え、この各フレーム３９０ａ，３９０ｂがヒンジ（図示せず）を介して開閉可能に構成され、両フレーム３９０ａ，３９０ｂを閉塞させたときに加熱ローラ３９１と加圧ローラ３９２とが接触するように対向配置されてなる。また、図３に示すように、上記加熱ローラ３９１および加圧ローラ３９２は、各フレーム３９０ａ，３９０ｂに対し軸受け３９３，…を介して回転自在に支持されている。そして、上記加熱ローラ３９１の一端（図３では右端）には、駆動モータ３９４の出力ギヤ３９４ｇと噛合する駆動ギヤ３９１ｇが回転一体に連結されている。また、上記加圧ローラ３９２の一端（図３では右端）には、駆動ギヤ３９１ｇと噛合する従動ギヤ３９２ｇが回転一体に連結され、駆動モータ３９４の駆動力により加熱ローラ３９１および加圧ローラ３９２が回転するようになっている。この場合、両フレーム３９０ａ，３９０ｂの閉塞状態は、その軸線方向両端部に設けられたロックレバー（図示せず）によって保持されるようになっている。
【００４６】
上記加熱ローラ３９１の内部には、軸線方向中央部において画像形成用紙Ｐのセンタ基準に合わせてニクロム線を密に巻いた第１ヒータランプとしてのメインヒータ３９１ａと、このメインヒータ３９１ａの軸線方向両側部においてそれぞれニクロム線を密に巻いた第２ヒータランプとしてのサブヒータ３９１ｂとの２種類のヒータが収容されている。上記メインヒータ３９１ａおよびサブヒータ３９１ｂは、図示しない制御手段としての制御部から通電されることによって所定の熱分布（加熱ローラ３９１の軸線方向中央部および左右両側部）で発光するような配熱特性をそれぞれ有し、赤外線の放射によって加熱ローラ３９１の内周面を加熱している。そして、メインヒータ３９１ａとサブヒータ３９１ｂとは、制御部によってそれぞれ独立に温度制御される。
【００４７】
上記加熱ローラ３９１は、メインヒータ３９１ａおよびサブヒータ３９１ｂへの通電による軸線方向でのそれぞれの配熱特性を１００％にして設定温度としての定着設定温度（ここでは１８０゜Ｃ）に加熱することで、定着装置３９のニップ部（加熱ローラ３９１と加圧ローラ３９２との間のニップ部）に通紙された画像形成用紙Ｐを加熱するようにしている。この場合、メインヒータ３９１ａでは、普通サイズ（長手方向が用紙搬送方向と平行になる縦送りでのＡ４サイズ）の画像形成用紙Ｐの通紙領域となる加熱ローラ３９１の軸線方向中央部付近での配熱特性が１００％であるのに対し、普通サイズの画像形成用紙Ｐの非通紙領域となる加熱ローラ３９１の軸線方向両端部付近での配熱特性は３０％程度となるため、加熱ローラ３９１の軸線方向ほぼ全域を加熱するには、メインヒータ３９１ａによる加熱ローラ３９１の軸線方向両端部付近での配熱特性を補うようにサブヒータ３９１ｂを通電して加熱ローラ３９１の軸線方向両端部付近での配熱特性を１００％にするようにしている。また、定着装置３９のニップ部に通紙される画像形成用紙Ｐとしては、Ａ３サイズの画像形成用紙の縦送り（画像形成用紙Ｐの長手方向が用紙搬送方向と平行になる向き）が大サイズの用紙となる。
【００４８】
そして、図２に示すように、加熱ローラ３９１は、その本体である芯金３９１ｃと、画像形成用紙Ｐ上のトナーＴがオフセットするのを防止するために芯金３９１ｃの外周表面に形成された離型層３９１ｄとを備えている。
【００４９】
芯金３９１ｃには、例えば、鉄、ステンレス鋼、アルミニウム、銅などの金属、あるいはそれらの合金などが用いられる。なお、本形態の芯金３９１ｃとしては、直径４０ｍｍ、肉厚０．２５ｍｍの鉄（ＳＴＫＭ）よりなる薄肉のものを使用している。
【００５０】
離型層３９１ｄには、ＰＦＡ（テトラフルオロエチレンとペルフルオロアルキルビニルエーテルとの共重合体）やＰＴＦＥ（ポリテトラフルオロエチレン）などのフッ素樹脂、シリコーンゴム、フッ素ゴムなどが適している。尚、本形態の離型層３９１ｄとしては、フッ素樹脂が適用されている。
【００５１】
加圧ローラ３９２は、鉄鋼、ステンレス鋼、アルミニウムなどの芯金３９２ａの外表面にシリコーンゴムなどの耐熱弾性材層３９２ｂを有するように構成されている。加圧ローラ３９２の耐熱弾性材層３９２ｂの表面には、加熱ローラ３９１の場合と同様のフッ素樹脂による離型層が形成されていてもよい。尚、本形態における加圧ローラ３９２としては、直径４０ｍｍで、シリコーンゴムからなる耐熱弾性体層３９２ｂと、ＰＦＡチューブからなる離型層３９２ｃが設けられており、図示しないばね等の弾性部材により加熱ローラ３９１に２００Ｎの力で圧接され、これにより、加熱ローラ３９１との間に幅が約６ｍｍのニップ部が形成されるよう構成されている。
【００５２】
そして、上記加熱ローラ３９１の軸線方向中央部および中央部左右両側位置並びに左右両側端部位置には、それぞれの箇所で表面温度を検出するサーミスタ３９５（図２では一つのみ示す）が設けられている。この各サーミスタ３９５により検出された加熱ローラ３９１の軸線方向の中央部および中央部左右両側位置並びに左右両側端部位置での表面温度は、上記制御部に出力され、この制御部において、加熱ローラ３９１の軸線方向での表面温度が定着設定温度ＴＳに保持されるようにメインヒータ３９１ａおよびサブヒータ３９１ｂへの通電を制御している。
【００５３】
上記制御部は、メインヒータ３９１ａおよびサブヒータ３９１ｂがそれぞれ所定の設定温度つまり定着設定温度ＴＳよりも低い余熱待機温度ＹＴで待機しているときに印刷指示を受けると、その印刷指示された画像形成用紙の通紙範囲に応じてメインヒータ３９１ａおよびサブヒータ３９１ｂを制御するようにしている。具体的には、図４の（ａ）に示すように、小サイズの画像形成用紙Ｐ′が印刷指示されてメインヒータ３９１ａを通電して加熱ローラ３９１の軸線方向中央部を定着設定温度ＴＳに移行させてから、図４の（ｂ）に示すように、加熱ローラ３９１の軸線方向中央部においてメインヒータ３９１ａの配熱特性に対応する通紙範囲Ｆよりも小さい通紙範囲Ｄとなる小サイズの画像形成用紙Ｐ′が定着装置３９の加熱ローラ３９１と加圧ローラ３９２との間のニップ部に通紙されたとき、その小サイズの画像形成用紙Ｐ′の通紙後に上記サブヒータ３９１ｂの制御を変更するようにしている。これは、メインヒータ３９１ａの配熱特性に対応する通紙範囲Ｆよりも小さい小サイズの画像形成用紙Ｐ′の通紙によって奪われる熱量の奪取範囲が加熱ローラ３９１の通紙範囲Ｆの中央部付近の通紙範囲Ｄに限られるために小サイズの画像形成用紙Ｐ′が通紙されない加熱ローラ３９１の軸線方向中央部左右両側Ｅ，Ｅ（小サイズの画像形成用紙Ｐ′の非通紙範囲）付近での表面温度が小サイズの画像形成用紙Ｐ′が通紙されても奪取されずに定着設定温度ＴＳ付近のまま蓄積されるからである。この場合、サブヒータ３９１ｂを定着設定温度ＴＳに移行させるのは、図４の（ｃ）に示すように、小サイズの画像形成用紙Ｐ′の通紙後にサブヒータ３９１ｂの通電を遮断してから、メインヒータ３９１ａの配熱特性がほぼ均等となったときつまり加熱ローラ３９の軸線方向中央部での表面温度がサーミスタ３９５によってほぼ均等となったと検出されてからであり、このサーミスタ３９５による検出後にサブヒータ３９１ｂを通電して定着設定温度ＴＳに到達させるように制御すればよい。
【００５４】
また、上記制御部では、上記メインヒータ３９１ａおよびサブヒータ３９１ｂがそれぞれ非通電状態で待機しているときに小サイズの画像形成用紙Ｐ′の印刷指示を受けると、メインヒータ３９１ａを通電して加熱ローラ３９の軸線方向中央部の表面温度が定着設定温度ＴＳに到達するように制御するとともに、サブヒータ３９１ｂを余熱待機温度ＹＴ（所定の設定温度）で待機させるように制御している。そして、上記制御部は、メインヒータ３９１ａおよびサブヒータ３９１ｂがそれぞれ余熱待機温度ＹＴで待機しているときに加熱ローラ３９１の軸線方向中央部においてメインヒータ３９１ａの配熱特性に対応する通紙範囲Ｄよりも大きい通紙範囲Ｇとなる大サイズの画像形成用紙（長手方向が用紙搬送方向と平行となる縦送りでのＡ３サイズの画像形成用紙）の印刷指示を受けると、上記メインヒータ３９１ａおよびサブヒータ３９１ｂを通電して加熱ローラ３９の軸線方向中央部および左右両側部の表面温度が定着設定温度ＴＳに到達するように制御している。更に、制御部は、印刷指示された画像形成用紙の通紙範囲に応じたメインヒータ３９１ａおよびサブヒータ３９１ｂを通電し、このメインヒータ３９１ａおよびサブヒータ３９１ｂに対応する加熱ローラの軸線方向中央部および左右両側部の表面温度が定着設定温度ＴＳに達したときに印刷を開始するように制御している。
【００５５】
ここで、複合機１の定着装置３９に対し小サイズ（Ｂ５サイズや葉書サイズなど）の画像形成用紙Ｐ′を通紙した後に印刷指示された場合の制御部による制御の流れを図５のフローチャート図に沿って説明する。
【００５６】
まず、図５のフローチャートのステップＳＴ１において、定着装置３９が非通電状態で待機しているときに、ステップＳＴ２で、画像形成用紙の印刷指示があると、ステップＳＴ３で、印刷指示が小サイズの画像形成用紙Ｐ′であるか否かを判定する。このステップＳＴ３の判定が、大サイズの画像形成用紙であるＮＯの場合には、ステップＳＴ４において、メインヒータ３９１ａを通電して加熱ローラ３９の軸線方向中央部付近を定着設定温度ＴＳに移行させるとともに、サブヒータ３９１ｂを通電して加熱ローラ３９の軸線方向左右両側部を定着設定温度ＴＳに移行させる。そして、ステップＳＴ５において、加熱ローラ３９の軸線方向中央部および左右両側部、つまり加熱ローラの全域（大サイズの画像形成用紙の通紙範囲Ｇ）が定着設定温度ＴＳに到達したことをサーミスタ３９５で検知すると、ステップＳＴ６で、印刷を開始した後、上記ステップＳＴ２に戻る。
【００５７】
一方、上記ステップＳＴ３の判定が、小サイズの画像形成用紙Ｐ′であるＹＥＳの場合には、ステップＳＴ７において、メインヒータ３９１ａを通電して加熱ローラ３９の軸線方向中央部付近を定着設定温度ＴＳに移行させるとともに、サブヒータ３９１ｂを通電して加熱ローラ３９の軸線方向左右両側部を余熱待機温度ＹＴに移行させる。そして、ステップＳＴ８において、加熱ローラ３９の軸線方向中央部付近が定着設定温度ＴＳに到達したことをサーミスタ３９５で検知すると、ステップＳＴ９で、印刷を開始する。
【００５８】
次いで、ステップＳＴ１０において、小サイズの画像形成用紙Ｐ′が加熱ローラ３９１と加圧ローラ３９２との間のニップ部間に通紙、つまり定着装置３９に通紙されたことを検知すると、ステップＳＴ１１で、引き続き印刷指示が有るか否かを判定する。このステップＳＴ１１の判定が、引き続き印刷指示がないＮＯの場合には、ステップＳＴ１２で、メインヒータ３９１ａの通電を遮断して加熱ローラ３９の軸線方向中央部付近を余熱待機温度ＹＴに移行させた後、この余熱待機温度ＹＴのままでメインヒータ３９１ａを制御する。その後、ステップＳＴ１３で、余熱待機温度ＹＴのままの状態が所定時間、例えば３０分程度時間経過したことをタイマ（図示せず）が検出すると、ステップＳＴ１４で、メインヒータ３９１ａへの通電を遮断するとともに、サブヒータ３９１ｂへの通電を遮断した後、上記ステップＳＴ１に戻る。
【００５９】
一方、上記ステップＳＴ１１の判定が、引き続き印刷指示があるＹＥＳである場合には、ステップＳＴ１５において、引き続き印刷指示された画像形成用紙が小サイズの画像形成用紙Ｐ′であるか否かを判定する。このステップＳＴ１５の判定が、引き続き小サイズの画像形成用紙Ｐ′であるＹＥＳの場合には、ステップＳＴ１６で、メインヒータ３９１ａを通電して加熱ローラ３９の軸線方向中央部付近を定着設定温度ＴＳに移行させるとともに、サブヒータ３９１ｂへの通電を遮断して加熱ローラ３９の軸線方向左右両側部の表面温度を余熱待機温度ＹＴから低下させる。そして、ステップＳＴ１７において、加熱ローラ３９の軸線方向中央部付近が定着設定温度ＴＳに到達したことをサーミスタ３９５で検知すると、ステップＳＴ１８で、印刷を開始した後、上記ステップＳＴ１１に戻る。
【００６０】
これに対し、ステップＳＴ１５の判定が、小サイズの画像形成用紙Ｐ′に代えて大サイズの画像形成用紙の印刷指示であるＮＯの場合には、ステップＳＴ１９で、サブヒータ３９１ｂへの通電を遮断して加熱ローラ３９の軸線方向左右両側部の表面温度を余熱待機温度ＹＴから低下させる。このとき、メインヒータ３９１ａは加熱ローラの軸線方向中央部の表面温度を定着設定温度ＴＳに復帰させるように自動的に通電される。その後、ステップＳＴ２０において、加熱ローラ３９の軸線方向中央部の表面温度がほぼ均一な定着設定温度ＴＳの温度分布になるまで待機した後、ステップＳＴ２１で、サブヒータ３９１ｂを通電して加熱ローラ３９の軸線方向左右両側部の表面温度を定着設定温度ＴＳに移行させる。しかる後、ステップＳＴ２２において、加熱ローラ３９の軸線方向中央部および左右両側部つまり加熱ローラ３９の全域が定着設定温度ＴＳに到達したことをサーミスタ３９５で検知すると、ステップＳＴ２３で、印刷を開始した後、上記ステップＳＴ１１に戻る。
【００６１】
このように、本実施形態では、加熱ローラ３９１の軸線方向中央部においてメインヒータ３９１ａの配熱特性に対応する通紙範囲Ｆよりも小さい通紙範囲Ｄの小サイズの画像形成用紙Ｐ′が通紙されたとき、その小サイズの画像形成用紙Ｐ′の通紙後にサブヒータ３９１ｂの制御を変更しているので、この小サイズの画像形成用紙Ｐ′の通紙後に大サイズの画像形成用紙の印刷指令がある場合には、サブヒータ３９１ｂの通電を遮断するように制御することによって、小サイズの画像形成用紙Ｐ′の通紙後に加熱ローラ３９１の軸線方向中央部左右両側Ｅ，Ｅ（小サイズの画像形成用紙Ｐ′の非通紙範囲）付近において通紙により奪取されずに定着設定温度ＴＳ付近のまま蓄積されていた表面温度（高温領域）は、小サイズの画像形成用紙Ｐ′の通紙領域Ｄの表面温度を定着設定温度ＴＳに復帰させるためのメインヒータ３９１ａによる自動的な通電によって一時的に上昇するものの、サブヒータ３９１ｂの通電遮断によって温度低下する加熱ローラ３９１の左右両側部に円滑に放熱され、メインヒータ３９１ａの配熱特性がほぼ均等となったとき、つまり加熱ローラ３９１の軸線方向中央部左右両側Ｅ，Ｅ付近（高温領域）の温度を低下させて加熱ローラ３９１の軸線方向中央部Ｆ（メインヒータ３９１ａの配熱特性に対応する領域）がほぼ均一な温度になったときに、サブヒータ３９１ｂを通電させて定着設定温度ＴＳに到達するように制御することで、トナーの過溶融による加熱ローラ３９１への付着といった高温オフセットや画像形成用紙Ｐのカールを確実に防止することができる上、小サイズの画像形成用紙Ｐ′通紙後に加熱ローラ３９１の軸線方向中央部左右両側Ｅ，Ｅの高温領域をさらに加熱する電力の無駄な消費も防止して省エネルギー化を図ることもできる。
【００６２】
一方、小サイズの画像形成用紙Ｐ′の通紙後にも小サイズの画像形成用紙Ｐ′の印刷指令がある場合には、サブヒータ３９１ｂの通電を遮断するように制御することによって、小サイズの画像形成用紙Ｐ′の通紙後に加熱ローラ３９１の軸線方向中央部左右両側Ｅ，Ｅ付近において通紙により奪取されずに定着設定温度ＴＳ付近のまま蓄積されていた表面温度（高温領域）が、小サイズの画像形成用紙Ｐ′の通紙領域Ｄの表面温度を定着設定温度ＴＳに復帰させるためのメインヒータ３９１ａによる自動的な通電によって一時的に上昇するものの、サブヒータ３９１ｂへの通電遮断によって温度低下する加熱ローラ３９１の左右両側部に円滑に放熱され、小サイズの画像形成用紙Ｐ′を通紙させて加熱ローラ３９１の軸線方向中央部左右両側Ｅ，Ｅ付近での局部的な表面温度の上昇を抑制しつつ小サイズの画像形成用紙Ｐ′上の未定着トナーを連続して定着させることができる。
【００６３】
また、メインヒータ３９１ａおよびサブヒータ３９１ｂがそれぞれ非通電状態で待機しているときに小サイズの画像形成用紙Ｐ′の印刷指示を受けると、メインヒータ３９１ａを通電して定着設定温度ＴＳに移行させるように制御するとともに、サブヒータ３９１ｂを余熱待機温度ＹＴで待機させるように制御しているので、小サイズの画像形成用紙Ｐ′の通紙後に加熱ローラ３９１の軸線方向中央部左右両側Ｅ，Ｅ付近において通紙により奪取されずに定着設定温度ＴＳ付近のまま蓄積されていた表面温度（高温領域）が、メインヒータ３９１ａによる小サイズの画像形成用紙Ｐ′の通紙領域Ｄの定着設定温度ＴＳへの再通電によって一時的に上昇するものの、定着設定温度ＴＳよりも低い余熱待機温度ＹＴで待機しているサブヒータ３９１ｂによって温度の低い加熱ローラ３９１の左右両側部に円滑に放熱されて、加熱ローラ３９１の軸線方向中央部左右両側Ｅ，Ｅ付近（高温領域）の温度が低下し、サブヒータ３９１ｂへの無駄な電力消費を抑えて省エネルギー化に貢献することができる。しかも、小サイズの画像形成用紙Ｐ′の通紙後に大サイズの画像形成用紙が印刷指示されても、加熱ローラ３９１の軸線方向中央部左右両側Ｅ，Ｅ付近（高温領域）の表面温度の低下を待つことなく迅速に大サイズの画像形成用紙Ｐ上の未定着トナーの定着を行うことができる。
【００６４】
そして、メインヒータ３９１ａおよびサブヒータ３９１ｂがそれぞれ余熱待機温度ＹＴで待機しているときに、加熱ローラ３９１の軸線方向中央部においてメインヒータ３９１ａの配熱特性に対応する通紙範囲Ｆよりも大きい通紙範囲の大サイズの画像形成用紙の印刷指示を受けると、メインヒータ３９１ａおよびサブヒータ３９１ｂを定着設定温度ＴＳに到達するように制御しているので、メインヒータ３９１ａおよびサブヒータ３９１ｂが定着設定温度ＴＳまで速やかに移行し、大サイズの画像形成用紙上の未定着トナーを迅速に定着させることができる。
【００６５】
また、印刷指示された画像形成用紙の通紙範囲に応じたメインヒータ３９１ａおよびサブヒータ３９１ｂが定着設定温度ＴＳに達したときに印刷を開始するように制御しているので、画像形成用紙上の未定着トナーを安定して定着させることができる。
【００６６】
更に、このような定着装置３９を複合機１に用いたことにより、小サイズの画像形成用紙Ｐ′の通紙後の加熱ローラ３９１の局部的な温度上昇による高温オフセットや画像形成用紙のカールを防止し、かつ電力の節電を図り得る複合機１を提供することができる。
【００６７】
なお、本発明は、上記形態に限定されるものではなく、その他種々の変形例を包含している。例えば、上記形態では、サーミスタ３９５によって加熱ローラの軸線方向中央位置および側端部位置の２箇所の表面温度を検出するようにしたが、加熱ローラの軸線方向３箇所以上で表面温度が検出されるようにしてもよい。
【００６８】
また、上記形態では、小サイズの画像形成用紙Ｐ′の通紙後に加熱ローラ３９１の軸線方向中央部左右両側Ｅ，Ｅ付近において通紙により奪取されずに定着設定温度ＴＳ付近のまま蓄積されていた表面温度（高温領域）を、メインヒータ３９１ａによる小サイズの画像形成用紙Ｐ′の通紙領域Ｄの定着設定温度ＴＳへの再通電によって一時的に上昇させるものの、サブヒータ３９１ｂの通電遮断によって温度低下する加熱ローラ３９１の左右両側部に円滑に放熱させるようにしたが、小サイズの画像形成用紙の通紙後に加熱ローラの軸線方向中央部左右両側付近において通紙により奪取されずに定着設定温度ＴＳ付近のまま蓄積されていた表面温度（高温領域）を、サブヒータの通電遮断によって温度低下する加熱ローラの左右両側部に先に放熱させてから、メインヒータを再通電させて小サイズの画像形成用紙の通紙領域を定着設定温度に移行させるようにしても良い。
【００６９】
更に、上記形態では、複合機１の定着装置３９に本発明を適用した場合について説明したが、コピー機能、プリント機能、またはファクシミリ機能を備えた画像形成装置の定着装置に本発明が適用されていても良いのはもちろんである。
【図面の簡単な説明】
【００７０】
【図１】本発明に係わる定着装置を備えた複合機の概略構成を示す模式図である。
【図２】定着装置を側方から見た断面図である。
【図３】加熱ローラを横断面にした状態で示す定着装置の断面図である。
【図４】小サイズの画像形成用紙の通紙時における加熱ローラの軸線方向でのサブヒータによる加熱ローラの表面温度の変遷を示す特性図である。
【図５】定着装置に対し小サイズの画像形成用紙を通紙した後に印刷指示された場合の制御部による制御の流れを示すフローチャート図である。
【図６】従来例に係わる小サイズ記録用紙の通紙時における加熱ローラの軸線方向での表面温度の変遷を示す特性図である。
【符号の説明】
【００７１】
１          複合機（画像形成装置）
３９        定着装置
３９１      加熱ローラ
３９１ａ    メインヒータ（第１ヒータランプ）
３９１ｂ    サブヒータ（第２ヒータランプ）
３９２      加圧ローラ
Ｄ          メインヒータの配熱特性に対応する通紙範囲よりも小さい通紙範囲
Ｆ          メインヒータの配熱特性に対応する通紙範囲
Ｐ          画像形成用紙（記録用紙）
Ｐ′        小サイズの画像形成用紙
Ｔ          トナー（現像剤）
ＴＳ        定着設定温度
ＹＴ        余熱待機温度（所定の設定温度）
【図１】
2005156977.tif 000003
【図２】
2005156977.tif 000004
【図３】
2005156977.tif 000005
【図４】
2005156977.tif 000006
【図５】
2005156977.tif 000007
【図６】
2005156977.tif 000008